(57)【要約】【課題】撮像装置のホールド性の安定化を図る上で有利な撮像装置用補助具を提供する。【解決手段】撮影装置用補助具３０を撮像装置１０の下面１２１２に取り付けた状態で右手のひらを撮像装置１０の右側面１２０６とグリップベルト２２の間の空間に下方から挿入する。右手の甲がグリップベルト２２に右手のひらの下部が当て付け部材３４の表面に当接され、撮像装置１０は手のひらの下部に係止される。手の甲にグリップベルト２２が当接し、手の指および手のひらの上部にケース１２の右側面１２０６が当接し、手のひらの下部に当て付け部材３４の表面３４Ａが当接するので、すなわち、手の甲ではグリップベルト２２が当接し、手のひら側ではケース１２の右側面１２０６と当て付け部材３４の表面３４Ａとの２箇所が当接するので、撮像装置１０のホールド性を安定させる上で有利となる。【選択図】図３
2007249004.tif 000002
【特許請求の範囲】
【請求項１】
撮像装置の外装を構成するケースの下面に取着される撮像装置用補助具であって、
前記撮像装置用補助具は支持板と当て付け部材とを備え、
前記支持板は、前記ケースの下面に当接可能で前記ケースの下面の三脚取り付け用ねじ孔に取着されるねじの挿通孔が設けられた取り付け板部と、前記取り付け板部の端部から該取り付け板部の厚さ方向に延在する縦板部とを有し、
前記当て付け部材は、前記取り付け板部寄りの前記縦板部箇所に設けられ手のひらの下部に当接可能に構成されている、
ことを特徴とする撮像装置用補助具。
【請求項２】
前記縦板部には、該縦板部を腕に装着するためのベルトが設けられていることを特徴とする請求項１記載の撮像装置用補助具。
【請求項３】
前記ベルトは、前記縦板部の延在方向に間隔をおいて複数設けられていることを特徴とする請求項２記載の撮像装置用補助具。
【請求項４】
前記支持板は、硬質な合成樹脂により形成されていることを特徴とする請求項１記載の撮像装置用補助具。
【請求項５】
前記取り付け板部と前記縦板部は、硬質な合成樹脂により均一の幅で型により一体成形されていることを特徴とする請求項１記載の撮像装置用補助具。
【請求項６】
前記当て付け部材は、均一な厚さの板状の弾性体で形成されていることを特徴とする請求項１記載の撮像装置用補助具。
【請求項７】
前記挿通孔は、前記縦板部が位置する方向に延在する長孔で形成されていることを特徴とする請求項１記載の撮像装置用補助具。
【請求項８】
前記撮像装置のケースに、該ケースの側面の外方で前後に延在するグリップベルトが連結され、
前記取り付け板部は、前記挿通孔に挿通され前記三脚取り付け用ねじ孔に螺合するねじでケースの下面に取着された状態で、前記ケースの下面で前記グリップベルトが位置する側の前記ケースの幅方向の端部まで延在しており、
前記縦板部は、前記ケースの幅方向の端部に臨む前記取り付け板部の箇所から延在している、
ことを特徴とする請求項１記載の撮像装置用補助具。
【請求項９】
前記撮像装置のケースに、該ケースの側面の外方で前後に延在するグリップベルトが連結され、
前記当て付け部材は、前記グリップベルトに挿通し前記ケースの側面に合わせた手のひらの下部に当接可能に設けられ、
前記取り付け板部が前記ケースの下面に取着された状態で、前記当て付け部材の表面を通る仮想平面の近傍に前記ケースの側面が位置するように設けられている、
ことを特徴とする請求項１記載の撮像装置用補助具。
【請求項１０】
前記撮像装置のケースに、該ケースの側面の外方で前後に延在するグリップベルトが連結され、
前記取り付け板部は、前記挿通孔に挿通され前記三脚取り付け用ねじ孔に螺合するねじでケースの下面に取着された状態で、前記ケースの下面で前記グリップベルトが位置する側の前記ケースの幅方向の端部まで延在しており、
前記縦板部は、前記ケースの幅方向の端部に臨む前記取り付け板部の箇所から延在しており、
前記当て付け部材は、前記グリップベルトに挿通し前記ケースの側面に合わせた手のひらの下部に当接可能に設けられ、
前記取り付け板部が前記ケースの下面に取着された状態で、前記当て付け部材の表面を通る仮想平面の近傍に前記ケースの側面が位置するように設けられている、
ことを特徴とする請求項１記載の撮像装置用補助具。
【請求項１１】
前記撮像装置のケースに、該ケースの側面の外方で前後に延在するグリップベルトが連結され、
前記当て付け部材は、前記グリップベルトに挿通し前記ケースの側面に合わせた手のひらの下部に当接可能に設けられ、
手の甲に当接する前記グリップベルトの箇所の上方に、手のひらに当接する前記ケースの側面が位置し、かつ、手の甲に当接する前記グリップベルトの箇所の下方に、前記当て付け部材の表面が位置する、
ことを特徴とする請求項１記載の撮像装置用補助具。
【発明の詳細な説明】
【技術分野】
【０００１】
本発明は撮像装置用補助具に関する。
【背景技術】
【０００２】
ビデオカメラなどの撮像装置を手で把持して撮影を行なう際、手振れを防止するためには撮像装置を安定して保持する必要がある。
そこで、撮像装置を把持する手の上腕部分を上半身に対して固定することで撮像装置を安定して保持できるようにした補助具が提案されている（特許文献１参照）。
【０００３】
【特許文献１】特開２００４−１４０４７６号公報
【発明の開示】
【発明が解決しようとする課題】
【０００４】
しかしながら、上述した補助具では、単に上腕を上半身に固定するのみであるため、撮像装置のホールド性を安定するには限界があった。
本発明はこのような事情に鑑みなされたもので、その目的は、撮像装置のホールド性の安定化を図る上で有利な撮像装置用補助具を提供することにある。
【課題を解決するための手段】
【０００５】
上述の目的を達成するため、本発明は、撮像装置の外装を構成するケースの下面に取着される撮像装置用補助具であって、前記撮像装置用補助具は支持板と当て付け部材とを備え、前記支持板は、前記ケースの下面に当接可能で前記ケースの下面の三脚取り付け用ねじ孔に取着されるねじの挿通孔が設けられた取り付け板部と、前記取り付け板部の端部から該取り付け板部の厚さ方向に延在する縦板部とを有し、前記当て付け部材は、前記取り付け板部寄りの前記縦板部箇所に設けられ手のひらの下部に当接可能に構成されていることを特徴とする。
【発明の効果】
【０００６】
本発明によれば、手の甲には撮像装置のグリップベルトを当接でき、手のひら側では撮像装置のケースの側面と当て付け部材の表面との２箇所を当接できるようになるので、すなわち、手の甲には１箇所を当接でき、手のひら側では２箇所を当接できるようになるので、撮像装置のホールド性を安定させる上で有利となる。
【発明を実施するための最良の形態】
【０００７】
次に本発明の実施の形態について図面を参照して説明する。
図１は本実施の形態の撮像装置用補助具３０の構成を示す斜視図、図２、図３は撮像装置用補助具３０を用いて撮像装置１０を保持した状態を示す説明図である。
まず、撮影装置用補助具３０が取り付けられる撮像装置１０から説明する。
なお、本実施の形態では、撮像装置１０に対して被写体側を前方、その反対側を後方とし、左右は撮像装置１０の後方から見た状態でいうものとする。
【０００８】
図２、図３に示すように、撮像装置１０はビデオカメラであり、外装を構成するケース１２を有している。
ケース１２は前後方向の長さと、上下方向の高さと、長さおよび高さよりも小さい寸法の左右方向の幅を有し、ケース１２は、前面１２０２、後面１２０４、左右の側面１２０６、１２０８、上面１２１０、下面１２１２を有している。
前面１２０２の上部にはレンズ鏡筒１４が組み込まれ、レンズ鏡筒１４には、撮影光学系１６と、撮影光学系１６によって導かれた被写体像を撮像する不図示の撮像素子が組み込まれている。
後面１２０４の上部には前記撮像素子で撮像された画像を視認するためのビューファインダー装置１８が設けられている。
左側面１２０６には、前記撮像素子で撮像された画像や種々のメニュー画面などを表示するディスプレイ２０がヒンジを介して開閉可能に連結されている。
【０００９】
前面１２０２の下部右寄りの箇所と、後面１２０４の下部右寄りの箇所とにわたってグリップベルト２２が連結され、グリップベルト２２は右側面１２０６の外側方で前後に延在しており、グリップベルト２２と右側面１２０６との間に右手が挿入可能な空間が形成され、図３において符号２２Ａはグリップベルト２２に巻装された甲当てパッドである。
なお、図３に示すように、グリップベルト２２と右側面１２０６との間に右手を挿入した状態で、撮像装置１０は右手のひらの下部に係止される。
下面１２１２の中央には、三脚取り付け用のねじ孔２４が形成されている。
図示しないが上面１２１０および後面１２０４には、電源スイッチ、動画撮影の開始、停止を行なうための撮影スタート／ストップボタン、静止画撮影を行なうためのシャッタボタン、撮影光学系１６のズームを調整するためのズームレバーなど撮影にまつわる操作部材が配設されており、これら操作部材は、グリップベルト２２と右側面１２０６の間に挿入された右手の指で操作される。
【００１０】
次に撮像装置用補助具３０について説明する。
図１に示すように、撮像装置用補助具３０は支持板３２と当て付け部材３４とを備えている。
支持板３２は、取り付け板部３６と縦板部３８とを有している。
取り付け板部３６は均一の幅を有し、また、ケース１２の左右幅に対応した寸法の長さを有している。
縦板部３８は、取り付け板部３６の長さ方向の端部から該取り付け板部３６の厚さ方向に均一の幅で延在している。
本実施の形態では、取り付け板部３６と縦板部３８は硬質な合成樹脂により型により一体成形され、取り付け板部３６と縦板部３８とは均一の幅および均一の厚さで形成されている。
図３に示すように、取り付け板部３６は、ケース１２の下面１２１２に当接可能でねじ孔２４に螺合されるねじ４０の挿通孔４２が設けられている。
挿通孔４２は、本実施の形態では、縦板部３８が位置する方向に延在する長孔で形成され、すなわち、取り付け板部３８の長さ方向に延在する長孔で形成されている。このように挿通孔４２を長孔で形成することで、左右幅が異なる複数種類の撮像装置１０のケース１２の下面１２１２に取り付け板部３６を取着し、グリップベルト２２と右側面１２０６との間に右手を挿入した際に、後述する当て付け部材３４を手のひらの下部に当接可能に調節できるようにしたものである。
【００１１】
当て付け部材３４は、取り付け板部３６寄りの縦板部３８箇所に取着されている。
本実施の形態では、当て付け部材３４は、均一な厚さの板状の弾性体で形成されている。このような弾性体として、例えば、ゴムなどを用いることができる。
そして、取り付け板部３６がケース１２の下面１２１２に取着された状態で、当て付け部材３４の表面３４Ａを通る仮想平面の近傍にケース１２の右側面１２０６が位置するように設けられている。なお、挿通孔４２が長孔で形成され取り付け板部３６の位置を調節することで当て付け部材３４の表面３４Ａの位置を調節できる場合、および、挿通孔４２が長孔ではなく円形の場合の双方の場合に、上述のように当て付け部材３４の表面３４Ａを通る仮想平面の近傍にケース１２の右側面１２０６が位置するように設けられている。
【００１２】
縦板部３８には、縦板部３８を腕に装着するためのベルト４４が設けられ、ベルト４４は、縦板部３８の延在方向に間隔をおいて２つ設けられている。
本実施の形態では、ベルト４４の一端にはリング４４０２が取着され、ベルト４４の他端をリング４４０２に挿通して折り返し、その折り返されたベルト４４の他端をベルト４４の中間部に形成された面ファスナーに押し付けることでベルト４４が腕に装着され、縦板部３８が腕に係止されるように構成されている。
【００１３】
次に撮影装置用補助具３０の使用方法について説明する。
図２、図３に示すように、取り付け板部３６をケース１２の下面１２１２に取り付け、撮影装置用補助具３０を撮像装置１０に装着した状態で、右手のひらを撮像装置１０の右側面１２０６とグリップベルト２２の間の空間に下方から挿入する。
これにより、右手の甲がグリップベルト２２に当接され、右手の指および右手のひらの上部がケース１２の右側面１２０６に当接され、右手のひらの下部が当て付け部材３４の表面３４Ａに当接され、撮像装置１０は手のひらの下部に係止される。
そして、２つのベルト４４を下腕に巻き付けて縦板部３８を下腕に係止させる。
この状態で、撮像装置１０の重量を縦板部３８を介して下腕で分散して受けることができ、したがって、右手の指を撮像装置１０から離しても手のひらには撮像装置１０の重量感はなく、しかも、右手のひらに安定した状態で押し付けられる。
【００１４】
したがって、撮像装置１０を長時間使用した場合であってもユーザーの握力の負担を軽減することが可能となり、撮像装置用補助具３０を使用することで撮像装置１０の実用価値を格段に高めることができる。
また、手の甲にグリップベルト２２が当接し、手の指および手のひらの上部にケース１２の右側面１２０６が当接し、手のひらの下部に当て付け部材３４の表面３４Ａが当接するので、すなわち、手の甲ではグリップベルト２２が当接し、手のひら側ではケース１２の右側面１２０６と当て付け部材３４の表面３４Ａとの２箇所が当接するので、言い換えると、手の甲には１箇所が当接し、手のひら側では２箇所が当接するので、撮像装置１０のホールド性を安定させる上で有利となる。
しかも、本実施の形態では、当て付け部材３４の表面３４Ａを通る仮想平面の近傍にケース１２の右側面１２０６が位置するように設けられているので、撮像装置１０のホールド性を安定させる上でより一層有利となる。
さらに、本実施の形態では、手の甲に当接するグリップベルト２２の箇所の上方に、手のひらに当接するケース１２の右側面１２０６が位置し、かつ、手の甲に当接するグリップベルト２２の箇所の下方に、当て付け部材３４の表面３４Ａが位置するので、すなわち、手の甲に当接するグリップベルト２２の箇所を上下に挟むように、手のひらに当接するケース１２の右側面１２０６と当て付け部材３４の表面３４Ａとが位置するので、撮像装置１０のホールド性を安定させる上でより一層有利となる。
【００１５】
なお、本実施の形態では、縦板部３８の長さを大きな寸法で形成し、２つのベルト４４を設けて縦板部３８を腕に係止させるようにした場合について説明したが、縦板部３８の長さを、当て付け部材３４を保持するに足る長さで形成し、２つのベルト４４を省略するようにしてもよい。この場合にも、上述の撮像装置１０のホールド性を安定させるという効果が奏される。
また、本実施の形態では、当て付け部材３４を弾性体で形成した場合について説明したが、当て付け部材３４は合成樹脂で形成し型を用いて縦板部３８に一体成形してもよい。ただし、実施の形態のように当て付け部材３４を弾性体で形成すると、手のひらに当たる感触がよく、ホールド性を高める上で有利となる。
また、本実施の形態では、撮像装置１０がビデオカメラである場合について説明したが、本発明はビデオカメラ以外の種々の撮像装置に適用されるものである。
【図面の簡単な説明】
【００１６】
【図１】本実施の形態の撮像装置用補助具３０の構成を示す斜視図である。
【図２】撮像装置用補助具３０を用いて撮像装置１０を保持した状態を示す説明図である。
【図３】撮像装置用補助具３０を用いて撮像装置１０を保持した状態を示す説明図である。
【符号の説明】
【００１７】
１０……撮像装置、１２……ケース、３０……撮像装置用補助具、３２……支持板、３４……当て付け部材、３６……取り付け板部、３８……縦板部、４０……ねじ、４２……挿通孔。
【図１】
2007249004.tif 000003
【図２】
2007249004.tif 000004
【図３】
2007249004.tif 000005